(57)【特許請求の範囲】
【請求項１】
複数のレンズ、及び前記複数のレンズを保持する保持体を有する投射光学装置と、外装を構成する外装筐体と、を備えたプロジェクターであって、
前記投射光学装置は、
前記保持体に保持され、前記複数のレンズのレンズ光軸を中心として回転可能とし、回転することで前記レンズを前記レンズ光軸に沿って移動させる移動枠体と、
前記移動枠体に接続し、前記移動枠体とともに回転する回転レバーと、
前記外装筐体に対して直線移動可能に取り付けられ、一部が前記外装筐体に形成された操作用開口部を介して外部に露出する操作用ノブと、
前記回転レバーと前記操作用ノブとを連結し、前記操作用ノブの直線運動を前記回転レバーの回転運動に変換する連結機構と、を備え、
前記連結機構は、
前記操作用ノブに配置され、前記操作用ノブの移動方向に直交して延びる長孔と、
前記回転レバーに配置され、前記レンズ光軸に平行して突出し、前記長孔に挿通されて前記操作用ノブの移動時に前記長孔に沿って移動する突出ピンと、を有する
ことを特徴とするプロジェクター。
【請求項２】
請求項１に記載のプロジェクターにおいて、
前記外装筐体を構成する各側壁部のうち鉛直方向に交差する第一の側壁部は、前記投射光学装置から投射された画像を通過させるための画像用開口部を有し、
前記投射光学装置は、前記複数のレンズを介した画像を前記第一の側壁部に向けて反射し、前記画像用開口部を介して投射する反射ミラーを備える
ことを特徴とするプロジェクター。
【請求項３】
請求項１または請求項２に記載のプロジェクターにおいて、
前記外装筐体に取り付けられ、前記操作用開口部を覆い前記操作用ノブの一部を保護する操作用カバーを備える
ことを特徴とするプロジェクター。
【請求項４】
請求項３に記載のプロジェクターにおいて、
前記外装筐体は、外部の空気を導入するための吸気口を有し、
当該プロジェクターは、前記吸気口を介して導入される空気に含まれる塵埃を捕捉するエアフィルターを備え、
前記操作用カバーは、前記吸気口を覆い、前記エアフィルターを保護する
ことを特徴とするプロジェクター。
【発明の詳細な説明】
【技術分野】
【０００１】
本発明は、プロジェクターに関する。
【背景技術】
【０００２】
従来、画像を投射する投射光学装置を有するプロジェクターにおいて、投射光学装置を構成するレンズをレンズ光軸に沿って変位させることでスクリーン等の被投射面上に表示された投射画像のフォーカスやズームを調整する構成が知られている（例えば、特許文献１参照）。
具体的に、特許文献１に記載の投射光学装置（投射レンズユニット）は、回転することでカム機構等によってレンズを光軸に沿って変位させる操作筒と、操作筒外面に固定された一端から操作筒の側方に延出するレバーとを備える。
そして、利用者は、投射画像のフォーカスやズームを調整する際には、外装筐体に形成されたスリットを介して外部に露出するレバーの他端を掴みながら、レバーを操作することで、操作筒を回転させる。
【先行技術文献】
【特許文献】
【０００３】
【特許文献１】特開２００８−２５０２８０号公報
【発明の概要】
【発明が解決しようとする課題】
【０００４】
ところで、特許文献１に記載の技術では、操作筒に固定されたレバーを直接、操作して操作筒を回転させる構造であるため、外装筐体内面と投射光学装置（操作筒）との距離が長い場合には、レバーの長さも長くする必要がある。
そして、上記のようにレバーの長さが長い場合には、操作筒を回転させる際のレバーの他端の移動量も大きくなり、外装筐体に形成されたスリットの長さもレバーの他端の移動量に応じて長くする必要がある。
すなわち、上記の場合には、スリットの長さが長くなるため、外装筐体の強度を良好に維持することが難しい、という問題がある。
【０００５】
本発明の目的は、外装筐体の強度を良好に維持しつつ、投射画像のフォーカスやズームを調整できるプロジェクターを提供することにある。
【課題を解決するための手段】
【０００６】
本発明のプロジェクターは、複数のレンズ、及び前記複数のレンズを保持する保持体を有する投射光学装置と、外装を構成する外装筐体と、を備えたプロジェクターであって、前記投射光学装置は、前記保持体に保持され、前記複数のレンズのレンズ光軸を中心として回転可能とし、回転することで前記レンズを前記レンズ光軸に沿って移動させる移動枠体と、前記移動枠体に接続し、前記移動枠体とともに回転する回転レバーと、前記外装筐体に対して直線移動可能に取り付けられ、一部が前記外装筐体に形成された操作用開口部を介して外部に露出する操作用ノブと、前記回転レバーと前記操作用ノブとを連結し、前記操作用ノブの直線運動を前記回転レバーの回転運動に変換する連結機構と、を備え、前記連結機構は、前記操作用ノブに配置され、前記操作用ノブの移動方向に直交して延びる長孔と、前記回転レバーに配置され、前記レンズ光軸に平行して突出し、前記長孔に挿通されて前記操作用ノブの移動時に前記長孔に沿って移動する突出ピンと、を有することを特徴とする。
【０００７】
本発明では、投射光学装置は、上述した移動枠体を備える。このことにより、利用者は、レンズ光軸を中心として移動枠体を回転させることで、例えば、カム機構等により、レンズをレンズ光軸に沿って移動させ、投射画像のフォーカスやズームを調整できる。
また、投射光学装置は、移動枠体を回転させる構成として、上述した連結機構により連結された回転レバー及び操作用ノブを備える。すなわち、利用者は、外装筐体の操作用開口部を介して外部に露出した操作用ノブの一部を掴みながら操作用ノブを直線移動させることで、連結機構により操作用ノブの直線運動が回転レバーの回転運動に変換され、回転レバーとともに移動枠体を回転させることができる。
【０００８】
以上のように、本発明では、フォーカスやズームを調整する際に、従来のように移動枠体に固定された回転レバーを直接、操作する構成ではなく、回転レバーに対して連結機構により連結された操作用ノブを操作する構成としている。
このことにより、外装筐体内面と投射光学装置（移動枠体）との距離が長い場合であっても、操作用ノブや連結機構により、回転レバーの長さを短くすることができる。
すなわち、回転レバーを直接、操作するために外装筐体内面と投射光学装置との距離に応じて回転レバーの長さを長くした場合と比較して、移動枠体を回転させる際の回転レバーの他端（操作用ノブとの連結部位）の移動量を小さくすることができる。また、操作用ノブの直線移動により連結機構を介して回転レバーの他端を移動させる構成であるため、上記回転レバーの他端の移動量を小さくできたことに伴い、操作用ノブについても必要最低限の移動量分、移動するように構成できる。
したがって、操作用ノブの一部を外部に露出させる操作用開口部の長さを必要最低限の長さで形成できるため、外装筐体の強度を良好に維持できる。
以上のことから、外装筐体の強度を良好に維持しつつ、投射画像のフォーカスやズームを調整でき、本発明の目的を達成できる。
【０００９】
本発明のプロジェクターでは、前記連結機構は、前記操作用ノブに配置され、前記操作用ノブの移動方向に直交して延びる長孔と、前記回転レバーに配置され、前記レンズ光軸に平行して突出し、前記長孔に挿通されて前記操作用ノブの移動時に前記長孔に沿って移動する突出ピンと、を有することが好ましい。
【００１０】
本発明では、連結機構は、回転レバー及び操作用ノブに一体的に形成された突出ピン及び長孔を有する。このことにより、回転レバー及び操作用ノブとは別部材として連結機構を構成する場合と比較して、連結機構の構成の簡素化が図れ、ひいては、投射光学装置の構成の簡素化が図れる。
【００１１】
本発明のプロジェクターでは、前記外装筐体を構成する各側壁部のうち鉛直方向に交差する第一の側壁部は、前記投射光学装置から投射された画像を通過させるための画像用開口部を有し、前記投射光学装置は、前記複数のレンズを介した画像を前記第一の側壁部に向けて反射し、前記画像用開口部を介して投射する反射ミラーを備えることが好ましい。
本発明では、投射光学装置が上述した反射ミラーを備えているので、プロジェクターは、画像を外装筐体を構成する各側壁部のうち鉛直方向に交差する第一の側壁部からスクリーン等の被投射面に投射する構成となる。
このようなプロジェクターにおいて、第一の側壁部が操作用開口部を有する場合には、フォーカスやズームの調整時に利用者の手等により投射された画像が遮られてしまう恐れがある。
本発明によれば、上述したように、移動枠体を回転させる構成として、連結機構により連結された回転レバー及び操作用ノブを備えるので、操作用ノブの配設位置を種々の位置に設定した場合であっても、操作用ノブを操作すれば、連結機構を介して回転レバーとともに移動枠体を回転させることができる。すなわち、操作用開口部の形成位置を種々の位置に設定できるため、フォーカスやズームの調整時に利用者の手等により投射された画像が遮られないように、例えば、外装筐体において、第一の側壁部に隣接する第二の側壁部に操作用開口部を形成することができる。
【００１２】
本発明のプロジェクターでは、前記外装筐体に取り付けられ、前記操作用開口部を覆い前記操作用ノブの一部を保護する操作用カバーを備えることが好ましい。
ここで、操作用カバーとしては、外装筐体に対して着脱可能に構成してもよく、あるいは、外装筐体に対してスライド移動または回動可能に取り付けて操作用開口部を開閉する構成としてもよい。
本発明では、プロジェクターは、上述した操作用カバーを備えるので、フォーカスやズームの調整後や調整しない場合に操作用カバーにて操作用開口部を覆うことで操作用ノブを操作できない状態に設定できる。すなわち、不要に操作用ノブが操作されてしまうことを防止し、フォーカスやズームの調整後や調整しない場合に不要に投射画像のフォーカスやズームの状態がずれてしまうことを防止できる。
【００１３】
本発明のプロジェクターでは、前記外装筐体は、外部の空気を導入するための吸気口を有し、当該プロジェクターは、前記吸気口を介して導入される空気に含まれる塵埃を捕捉するエアフィルターを備え、前記操作用カバーは、前記吸気口を覆い、前記エアフィルターを保護することが好ましい。
本発明では、操作用カバーは、操作用開口部及び吸気口を覆い、操作用ノブ及びエアフィルターの双方を保護する。このことにより、操作用ノブ専用のカバーとエアフィルター専用のカバーとを１つの操作用カバーで共通化でき、部材点数を低減できる。このため、プロジェクターの低コスト化が図れる。
また、操作用ノブ専用のカバーとエアフィルター専用のカバーとを１つの操作用カバーで構成することで、外装を構成する各部材（外装筐体及び操作用カバー）の境界部分も少なくすることができ、プロジェクターの外観も良好なものとすることができる。
【図面の簡単な説明】
【００１４】
【図１】本実施形態におけるプロジェクターの使用状態を側方から見た図。
【図２】本実施形態におけるプロジェクターの外観を示す斜視図。
【図３】本実施形態における外装筐体の一部を拡大した図。
【図４】本実施形態における外装筐体の一部を拡大した図。
【図５】本実施形態における外装筐体内部に収容される光学ユニットを背面上方側から見た斜視図。
【図６】本実施形態における投射光学装置本体の内部構成を模式的に示す断面図。
【図７】本実施形態におけるフォーカス調整部を背面側から見た模式図。
【図８】本実施形態における回転レバーと操作用ノブとの連結構造を示す図。
【図９】本実施形態における回転レバーと操作用ノブとの連結構造を示す図。
【図１０】本実施形態におけるフォーカス調整部の動作を説明するための図。
【発明を実施するための形態】
【００１５】
以下、本発明の実施の一形態を図面に基づいて説明する。
〔プロジェクターの構成〕
図１は、プロジェクター１の使用状態を側方から見た図である。
プロジェクター１は、画像情報に応じた画像を形成し、形成した画像をスクリーン等の被投射面Ｓｃ（図１）上に投射する。
本実施形態では、プロジェクター１は、図１に示すように、当該プロジェクター１が設置される室内において、天吊り金具Ｍにより吊り下げられ、天井面ＲＳに近接した位置に配設される。そして、プロジェクター１は、壁面ＷＳに設置された被投射面Ｓｃに向けて画像を投射する。
【００１６】
このプロジェクター１は、図１に示すように、外装を構成する外装筐体２を備える。
なお、以下では、説明の便宜上、外装筐体２において、鉛直方向に交差する一対の側壁部２Ａ，２Ｂのうち、図１に示す使用状態で床面ＢＳに向く側壁部２Ａを天面部とし、天井面ＲＳに向く側壁部２Ｂを底面部と記載する。
また、以下では、プロジェクター１において、図１に示す使用状態で被投射面Ｓｃに近接する側を前面とし、被投射面Ｓｃから離間する側を背面とする。
【００１７】
〔外観構成〕
図２は、プロジェクター１の外観を示す斜視図である。具体的に、図２は、プロジェクター１の天面部２Ａ側を前面側から見た斜視図である。
なお、以下では、説明の便宜上、図２に示すように天面部２Ａを上方に向けた姿勢で、プロジェクター１の各構成を説明する。すなわち、図２中の「上」、「下」を「上」、「下」として記載する。
外装筐体２は、プロジェクター１の装置本体を収納する。
この外装筐体２において、天面部２Ａには、図２に示すように、前後方向（背面から前面への方向）の略中心位置よりも背面側に第１傾斜面２１及び第２傾斜面２２が形成されている。
第１傾斜面２１は、第２傾斜面２２に対して背面側に位置し、背面から前面に向けて下方に傾斜している。
この第１傾斜面２１には、図２に示すように、投射光学装置６の配設位置に対応し、背面の斜め下方に向けて窪む凹部２１１が形成されている。
また、凹部２１１の底部分には、投射光学装置６にて投射される画像を通過させるための画像用開口部２１１Ａが形成されている。
第２傾斜面２２は、図２に示すように、第１傾斜面２１に連接し、背面から前面に向けて上方に傾斜している。
【００１８】
図３及び図４は、外装筐体２の一部を拡大した図である。具体的に、図３は、外装筐体２における前面側から見て左側の側壁部２Ｃの一部を拡大し、操作用カバー３を後述する第２の位置に回動させた状態を示した図である。図４は、図３の状態において、外装筐体２、エアフィルター４、及び入出力装置としての無線ＬＡＮ(Local Area Network)ユニットＬＵを分解した分解斜視図である。
なお、図３では、説明の便宜上、外装筐体２内部に配設される制御装置ＣＬも模式的に図示している。
外装筐体２の側壁部２Ｃにおいて、前後方向の略中心位置よりも前面側には、図２ないし図４に示すように、天面部２Ａに跨るように略矩形形状の開口部２３が形成されている。
この開口部２３の内側には、図３または図４に示すように、上方側の縁部から天面部２Ａに対して下方に段落ち形成され、天面部２Ａに略平行して延びる段差部２４が形成されている。
【００１９】
この段差部２４は、入出力装置としての無線ＬＡＮユニットＬＵを支持する機能を有する。
具体的に、段差部２４において、前後方向の略中央部分には、図３または図４に示すように、装填部としてのスロット２５が設けられている。
スロット２５は、無線ＬＡＮユニットＬＵの外形形状に対応し、天面部２Ａに沿って外装筐体２内部まで延びるように形成されている。
そして、スロット２５の底部分には、無線ＬＡＮユニットＬＵに接続する接続端子ＣＮ（図３）が設けられている。
【００２０】
ここで、無線ＬＡＮユニットＬＵは、ＬＡＮインターフェースで構成され、外部機器との間で情報を送受信する機能を有する。また、無線ＬＡＮユニットＬＵは、スロット２５に挿入され接続端子ＣＮに接続することで、制御装置ＣＬと電気的に接続する。すなわち、無線ＬＡＮユニットＬＵは、スロット２５に対して着脱可能に設けられている。
例えば、無線ＬＡＮユニットＬＵは、外部のＰＣ（図示略）等から制御指令を受信し、受信した制御指令をＬＡＮインターフェース規格に応じた情報に変換して制御装置ＣＬに出力する。また、無線ＬＡＮユニットＬＵは、制御装置ＣＬから出力された情報をＬＡＮインターフェース規格に応じた情報に変換して前記外部のＰＣ等に送信する。
【００２１】
また、段差部２４の下方側には、図３または図４に示すように、開口部２３における段差部２４以外の領域を閉塞するように、吸気側ダクト２６が配設されている。
吸気側ダクト２６は、平面視矩形形状を有し、前面側から見て左から右方向に空気を流通させ、外装筐体２内部に配設された図示しない冷却ファン等の冷却装置に空気を導く筒体で構成されている。
そして、吸気側ダクト２６において、外装筐体２外部に面した端部が本発明に係る吸気口２６１（図３、図４）として機能する。
この吸気側ダクト２６において、背面側の部位２６２は、図３または図４に示すように、空気の流通方向の厚み寸法が他の部位に比較して小さくなるように形成されている。
そして、吸気側ダクト２６が外装筐体２内部に設置された状態では、背面側の部位２６２と側壁部２Ｃの内面との間に隙間が形成される。
【００２２】
以上説明した吸気側ダクト２６は、吸気側ダクト２６に導入される空気に含まれる塵埃を捕捉するエアフィルター４を保持する機能も有する。
具体的に、吸気側ダクト２６において、吸気口２６１の内部には、図４に示すように、筒状軸に略直交して格子状に延びる複数のリブ２６３が形成されている。そして、複数のリブ２６３のうち、前後方向の略中央部分には、上下方向に並設され、エアフィルター４を保持する一対の保持部２６４が形成されている。
また、エアフィルター４には、具体的な図示は省略したが、一対の保持部２６４に対応する位置に一対の係合孔が形成されている。
すなわち、利用者は、吸気口２６１の開口面に略直交する方向からエアフィルター４を吸気側ダクト２６に押し付けることで、一対の保持部２６４が一対の係合孔にそれぞれ係合し、エアフィルター４を吸気側ダクト２６に取り付けることができる。また、利用者は、吸気側ダクト２６に対して吸気口２６１の開口面に略直交する方向にエアフィルター４を引き抜くことで、吸気側ダクト２６からエアフィルター４を取り外すことができる。
【００２３】
操作用カバー３は、図２ないし図４に示すように、開口部２３に対応し、側壁部２Ｃ及び天面部２Ａに跨る側面視略Ｌ字状の板体で構成されている。また、操作用カバー３には、吸気口２６１に対応させて複数の開口部３１が形成されている。
そして、操作用カバー３は、外装筐体２に対して回動可能に軸支され、回動することで、開口部２３を覆い、投射光学装置６の後述する操作用ノブ８３、エアフィルター４、及び無線ＬＡＮユニットＬＵを保護する第１の位置（図２）と、操作用ノブ８３を操作、エアフィルター４を交換、あるいは無線ＬＡＮユニットＬＵを取り外すための第２の位置（図３、図４）とに移動する。
【００２４】
〔内部構成〕
図５は、外装筐体２内部に収容される光学ユニット５を背面上方側から見た斜視図である。
外装筐体２内部には、図５に示す光学ユニット５が収容されている。
なお、具体的な図示は省略したが、外装筐体２内部において、光学ユニット５以外の空間には、外装筐体２内部を冷却する冷却ファン等を備えた冷却ユニット、プロジェクター１の各構成部材に電力を供給する電源ユニット、プロジェクター１の各構成部材の動作を制御する制御装置ＣＬが配置されるものとする。
【００２５】
光学ユニット５は、光源装置、前記光源装置から射出された光束を画像情報に応じて変調して画像を形成する液晶パネル等の光変調装置、及び前記光変調装置にて形成された画像を投射する投射光学装置６（図５）等を備える。
なお、光学ユニット５については、種々の一般的なプロジェクターで利用されているため、具体的な図示及び説明を省略し、以下では、投射光学装置６の構成のみを説明する。
【００２６】
〔投射光学装置の構成〕
投射光学装置６は、図５に示すように、投射光学装置本体７と、フォーカス調整部８とを備える。
図６は、投射光学装置本体７の内部構成を模式的に示す断面図である。
投射光学装置本体７は、図５または図６に示すように、複数のレンズ７１（図６）と、反射ミラーとしての非球面ミラー７２（図６）と、保持体７３とを備える。
非球面ミラー７２は、回転対称でない自由曲面形状の反射面７２Ａを有する。そして、非球面ミラー７２は、投射光学装置６における光路最下流において、反射面７２Ａが前面の斜め上方側に向くように配設され、複数のレンズ７１にて前面から背面に導かれた画像を前面の斜め上方側に反射して広角化する。
【００２７】
保持体７３は、中空状に形成され、内部に複数のレンズ７１、非球面ミラー７２、及びフォーカス調整部８を構成する後述する移動枠体８１を収納する。
この保持体７３の上方側には、図５または図６に示すように、非球面ミラー７２にて反射された画像を通過させるための第２の画像用開口部７３１が形成されている。
そして、保持体７３には、第２の画像用開口部７３１を閉塞するように、ガラス等の透光板７３２が取り付けられている。
また、保持体７３の上方側には、図５に示すように、移動枠体８１の配設位置に対応した位置に、複数のレンズ７１のレンズ光軸Ａｘ（図６）を中心とする回転方向に沿って延びる接続用孔７３３が形成されている。
【００２８】
上述した投射光学装置本体７を採用することで、被投射面Ｓｃに近い位置にプロジェクター１を配置することを可能とし、プロジェクター１の設置の自由度を向上させている。すなわち、スクリーン等の被投射面Ｓｃが設けられる壁面ＷＳにより近い位置にプロジェクター１を配置できるため、スクリーンから観察者の方向へ進行する光がプロジェクター１によって遮られる事態を確実に回避可能とし、快適な映像観賞を行うことができる。
【００２９】
図７は、フォーカス調整部８を背面側から見た模式図である。
フォーカス調整部８は、図５または図７に示すように、移動枠体８１と、回転レバー８２と、操作用ノブ８３とを備える。
移動枠体８１は、円筒形状を有し（図７）、保持体７３内部において、前後方向の略中心位置よりも前面側に配設されている。
そして、移動枠体８１は、具体的な図示は省略したが、保持体７３に対してレンズ光軸Ａｘを中心として回転可能に保持され、回転することで、カム機構（図示略）等によって、複数のレンズ７１のうち少なくともいずれかのレンズ７１をレンズ光軸Ａｘに沿って移動させる。すなわち、移動枠体８１により、レンズ７１をレンズ光軸Ａｘに沿って移動させ、被投射面Ｓｃ上に表示された投射画像のフォーカスを調整する。
【００３０】
回転レバー８２は、利用者による操作用ノブ８３の操作を移動枠体８１に伝達するものである。
この回転レバー８２は、図５または図７に示すように、レンズ光軸Ａｘを中心とする回転方向に沿って延びる長尺状の板体で構成され、一端が接続用孔７３３を介して移動枠体８１の外面にネジ等により固定され、他端が保持体７３の背面側から見て右側方に位置するように配設される。そして、回転レバー８２は、利用者による操作用ノブ８３の操作に応じて、移動枠体８１とともにレンズ光軸Ａｘを中心として回転する。
【００３１】
図８及び図９は、回転レバー８２と操作用ノブ８３との連結構造を示す図である。具体的に、図８は回転レバー８２と操作用ノブ８３との連結構造を前面側から見た斜視図であり、図９は連結構造の断面図である。
そして、回転レバー８２において、他端には、図７または図９に示すように、レンズ光軸Ａｘに略直交して張り出した張出部８２１が形成されている。
また、張出部８２１の前面側の端面には、図７ないし図９に示すように、レンズ光軸Ａｘに略平行して突出する突出ピン８２２が形成されている。
この突出ピン８２２の先端部分には、図８または図９に示すように、他の部分よりも断面積が大きい膨出部８２２Ａが形成されている。
【００３２】
操作用ノブ８３は、利用者により操作される部分であり、図５に示すように、保持体７３の側方に配設されている。この操作用ノブ８３は、図５、図７または図８に示すように、背面側または前面側から見て左右方向に延出する基部８３１と、基部８３１の前面側から見て左側の端部から前面に向けて延出する延出部８３２とを備え、略Ｌ字形状を有する。
基部８３１において、背面側または前面側から見て左右方向の略中心位置には、図５または図８に示すように、上下方向に貫通する貫通孔８３１Ａが形成されている。
そして、基部８３１は、外装筐体２内部において、天面部２Ａと、天面部２Ａに対向し下方側に位置する底面部２Ｂとに架設された円柱状の架設レール２７（図５、図７、図８）が貫通孔８３１Ａに挿通した状態で、架設レール２７に支持される。すなわち、操作用ノブ８３は、外装筐体２に対して、架設レール２７に沿って上下方向に移動可能に取り付けられている。
【００３３】
また、基部８３１には、前面側から見て右側の端部から左側に延びる長孔８３１Ｂが形成されている。
この長孔８３１Ｂには、図８または図９に示すように、張出部８２１と膨出部８２２Ａとで基部８３１を挟んだ状態で、突出ピン８２２が挿通される。
延出部８３２において、先端部分には、図５、図７または図８に示すように、外装筐体２外部に向けて突出した摘み部８３２Ａが設けられている。
この延出部８３２は、操作用ノブ８３が架設レール２７に取り付けられた状態で、図３または図４に示すように、吸気側ダクト２６の背面側の部位２６２と側壁部２Ｃの内面との隙間に挿通され、開口部２３を介して摘み部８３２Ａが外部に露出するように位置付けられている。
すなわち、開口部２３は、本発明に係る操作用開口部に相当する。以下では、説明の便宜上、開口部２３を操作用開口部２３として記載する。
【００３４】
〔フォーカス調整部の動作〕
図１０は、フォーカス調整部８の動作を説明するための図である。具体的に、図１０（Ａ）は操作用ノブ８３が上方側に操作された状態を示し、図１０（Ｂ）は操作用ノブ８３が下方側に操作された状態を示している。
以下では、フォーカス調整部８の動作を図３、図５及び図１０を参照して説明する。
先ず、利用者は、投射画像のフォーカスを調整する際には、図３に示すように、操作用カバー３を第２の位置に移動させる。そして、利用者は、操作用開口部２３を介して外部に露出した摘み部８３２Ａを把持し、図５または図１０に示すように、上下に移動させる。
【００３５】
ここで、回転レバー８２は、操作用ノブ８３の長孔８３１Ｂの縁部にて突出ピン８２２が押圧され、操作用ノブ８３の上下方向の移動に連動する。
例えば、操作用ノブ８３が上方側の位置（図１０（Ａ）に示す位置）から上下方向の略中心位置（図５に示す位置）に移動されると、回転レバー８２は、以下のように動作する。
突出ピン８２２は、長孔８３１Ｂの縁部にて下方に押圧されながら、長孔８３１Ｂに沿って背面側から見て右側に移動する。
そして、回転レバー８２は、突出ピン８２２の上述した動作により、背面側から見てレンズ光軸Ａｘを中心として時計回りに回転し、移動枠体８１を同様に回転させる。
【００３６】
また、例えば、操作用ノブ８３が上下方向の略中心位置（図５に示す位置）から下方側の位置（図１０（Ｂ）に示す位置）に移動されると、回転レバー８２は、以下のように動作する。
突出ピン８２２は、長孔８３１Ｂの縁部にて下方に押圧されながら、長孔８３１Ｂに沿って背面側から見て左側に移動する。
そして、回転レバー８２は、突出ピン８２２の上述した動作により、背面側から見てレンズ光軸Ａｘを中心として時計回りに回転し、移動枠体８１を同様に回転させる。
【００３７】
なお、操作用ノブ８３を下方から上方に向けて移動させた場合には、回転レバー８２は上記と逆に動作するものである。
以上説明したように、突出ピン８２２及び長孔８３１Ｂは、操作用ノブ８３及び回転レバー８２を連結し、操作用ノブ８３の直線運動を回転レバー８２の回転運動に変換する本発明に係る連結機構９（図７〜図１０）に相当する。
【００３８】
上述した本実施形態によれば、以下の効果がある。
本実施形態では、投射光学装置６は、移動枠体８１を回転させる構成として、回転レバー８２の他、上下に移動可能とする操作用ノブ８３と、回転レバー８２と操作用ノブ８３とを連結し、操作用ノブ８３の直線運動を回転レバー８２の回転運動に変換する連結機構９とを備える。すなわち、本実施形態では、フォーカスを調整する際に、移動枠体８１に固定された回転レバー８２を直接、操作する構成ではなく、回転レバー８２に対して連結機構９により連結された操作用ノブ８３を操作する構成としている。
【００３９】
このことにより、外装筐体２における側壁部２Ｃ内面と投射光学装置本体７（移動枠体８１）との距離が長い場合であっても、操作用ノブ８３や連結機構９により、回転レバー８２の長さを短くすることができる。
すなわち、回転レバー８２を直接、操作するために側壁部２Ｃ内面と投射光学装置本体７との距離に応じて回転レバー８２の長さを長くした場合と比較して、移動枠体８１を回転させる際の回転レバー８２の他端（突出ピン８２２）の移動量を小さくすることができる。また、操作用ノブ８３の直線移動により連結機構９を介して回転レバー８２の他端を移動させる構成であるため、上記回転レバー８３２の他端の移動量を小さくできたことに伴い、操作用ノブ８３についても必要最低限の移動量分、移動するように構成できる。
したがって、摘み部８３２Ａを外部に露出させる操作用開口部２３の上下の長さを必要最低限の長さで形成できるため、外装筐体２の強度を良好に維持できる。
【００４０】
また、連結機構９は、回転レバー８２及び操作用ノブ８３に一体的に形成された突出ピン８２２及び長孔８３１Ｂで構成されている。このことにより、回転レバー８２及び操作用ノブ８３とは別部材として連結機構を構成する場合と比較して、連結機構９の構成の簡素化が図れ、ひいては、投射光学装置６の構成の簡素化が図れる。
【００４１】
さらに、移動枠体８１を回転させる構成として、回転レバー８２の他、操作用ノブ８３と、連結機構９とを備えるので、操作用ノブ８３の配設位置を種々の位置に設定した場合であっても、操作用ノブ８３を操作すれば、連結機構９を介して回転レバー８２とともに移動枠体８１を回転させることができる。すなわち、操作用開口部２３の形成位置を種々の位置に設定できるため、フォーカスの調整時に利用者の手等により投射された画像が遮られないように、側壁部２Ｃに操作用開口部２３を形成することができる。
また、上述したように、操作用開口部２３の上下の長さを小さくできるため、プロジェクター１の厚み寸法（天面部２Ａと底面部２Ｂとの離間寸法）が小さい場合であっても、側壁部２Ｃに操作用開口部２３を形成できる。
【００４２】
さらに、プロジェクター１は、操作用カバー３を備えるので、フォーカスの調整後や調整しない場合に操作用カバー３にて操作用開口部２３を覆うことで操作用ノブ８３を操作できない状態に設定できる。すなわち、不要に操作用ノブ８３が操作されてしまうことを防止し、フォーカスの調整後や調整しない場合に不要に投射画像のフォーカスの状態がずれてしまうことを防止できる。
【００４３】
また、操作用カバー３は、操作用開口部２３、吸気口２６１及びスロット２５を覆い、操作用ノブ８３、エアフィルター４及び無線ＬＡＮユニットＬＵを保護する。このことにより、操作用ノブ８３専用のカバーと、エアフィルター４専用のカバーと、無線ＬＡＮユニットＬＵ専用のカバーとを１つの操作用カバー３で共通化でき、部材点数を低減できる。このため、プロジェクター１の低コスト化が図れる。
また、操作用ノブ８３専用のカバーと、エアフィルター４専用のカバーと、無線ＬＡＮユニットＬＵ専用のカバーとを１つの操作用カバー３で構成することで、外装を構成する各部材（外装筐体２及び操作用カバー３）の境界部分も少なくすることができ、プロジェクター１の外観も良好なものとすることができる。
【００４４】
なお、本発明は前述の実施形態に限定されるものではなく、本発明の目的を達成できる範囲での変形、改良等は本発明に含まれるものである。
前記実施形態では、移動枠体８１を回転させることで、投射画像のフォーカスを調整する構成としていたが、これに限らず、投射画像のズームを調整する構成としても構わない。
前記実施形態では、連結機構９は、回転レバー８２及び操作用ノブ８３に一体的に形成されていたが、これに限らない。
すなわち、連結機構としては、回転レバー８２及び操作用ノブ８３を連結し、操作用ノブ８３の直線運動を回転レバー８２の回転運動に変換する構成であればよく、例えば、回転レバー８２及び操作用ノブ８３とは別部材として設けても構わない。
また、回転レバー８２に突出ピン８２２が形成され、操作用ノブ８３に長孔８３１Ｂが形成されていたが、逆に、回転レバー８２に長孔８３１Ｂを形成し、操作用ノブ８３に突出ピン８２２を形成しても構わない。
【００４５】
前記実施形態では、投射光学装置本体７が非球面ミラー７２を備えていたが、これに限らず、非球面ミラー７２が省略された構成、すなわち、プロジェクター１からの画像が前面部分から被投射面Ｓｃ上に投射される構成に本発明を適用しても構わない。
前記実施形態では、操作用カバー３は、外装筐体２に対して第１の位置または第２の位置に回動可能に軸支されていたが、これに限らず、外装筐体２に対して着脱可能に構成してもよく、あるいは、外装筐体２に対してスライド移動可能に取り付けて操作用開口部２３を開閉する構成としてもよい。
【００４６】
前記実施形態では、本発明に係る入出力装置として、無線ＬＡＮユニットＬＵを採用していたが、これに限らず、外装筐体２に取り付けられることで制御装置ＣＬに電気的に接続し、制御装置ＣＬとの間で情報を入出力する装置であれば、いずれの装置でもよく、例えば、メモリーカード等が例示できる。
前記実施形態では、エアフィルター４が外装筐体２（吸気側ダクト２６）に取り付けられていたが、これに限らず、エアフィルター４を操作用カバー３の裏面に取り付けても構わない。
【産業上の利用可能性】
【００４７】
本発明のプロジェクターは、プレゼンテーションやホームシアターに用いられるプロジェクターとして利用できる。
【符号の説明】
【００４８】
１・・・プロジェクター、２・・・外装筐体、２Ａ・・・天面部（第一の側壁部）、３・・・操作用カバー、４・・・エアフィルター、６・・・投射光学装置、９・・・連結機構、２３・・・操作用開口部、２５・・・スロット（装填部）、２６・・・吸気口、７１・・・レンズ、７２・・・非球面ミラー（反射ミラー）、８１・・・移動枠体、８２・・・回転レバー、８３・・・操作用ノブ、２１１Ａ・・・画像用開口部、８２２・・・突出ピン、８３１Ｂ・・・長孔、Ａｘ・・・レンズ光軸、ＣＬ・・・制御装置。
【図１】
0005526616.tif 000002
【図２】
0005526616.tif 000003
【図３】
0005526616.tif 000004
【図４】
0005526616.tif 000005
【図５】
0005526616.tif 000006
【図６】
0005526616.tif 000007
【図７】
0005526616.tif 000008
【図８】
0005526616.tif 000009
【図９】
0005526616.tif 000010
【図１０】
0005526616.tif 000011